【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
着座部およびシートバックを有するシート部と、前記シート部内に設けられ、膨張または収縮することで乗員のサポート位置を変更する空気袋と、を備えた乗物用シートであって、
前記シート部は、
左右のフレームを構成する長尺状の左右のサイドフレームと、
前記空気袋と前記サイドフレームの間に配置されたプレート部材と、を備え、
前記プレート部材は、
第１支持面を有する第１部分と、
前記第１支持面から延びる第２支持面であって、前記第１支持面に対して傾斜した第２支持面を有する第２部分とを有し、
前記空気袋が膨張した場合に前記第１支持面と前記第２支持面とで前記空気袋を支持することを特徴とする乗物用シート。
【請求項２】
前記第２部分は、前記プレート部材を前記サイドフレームに固定するための爪部を有することを特徴とする請求項１に記載の乗物用シート。
【請求項３】
前記第２部分は、前記爪部と対向する位置に形成された貫通穴を有することを特徴とする請求項２に記載の乗物用シート。
【請求項４】
前記爪部は、前記サイドフレームに固定されたロッド部材に引っ掛かる第１爪部と第２爪部とを有し、
前記第１爪部と前記第２爪部は、前記ロッド部材に引っ掛かる方向が異なることを特徴とする請求項２または請求項３に記載の乗物用シート。
【請求項５】
前記第１部分は、前記空気袋を取り付けるための係合穴を有することを特徴とする請求項４に記載の乗物用シート。
【請求項６】
前記第１爪部と前記第２爪部は、前記サイドフレームの長手方向に間隔をあけて設けられ、
前記係合穴は、前記長手方向に間隔をあけて設けられた第１係合穴と第２係合穴とを有し、
前記第１係合穴と前記第２係合穴との間の距離は、前記第１爪部と前記第２爪部との間の距離よりも長いことを特徴とする請求項５に記載の乗物用シート。
【請求項７】
前記爪部は、左右方向において、前記係合穴よりも外側に位置することを特徴とする請求項５または請求項６に記載の乗物用シート。
【請求項８】
前記第２部分は、前記サイドフレームの長手方向における大きさが、前記第１部分よりも小さい部分を有することを特徴とする請求項１から請求項７のいずれか１項に記載の乗物用シート。
【請求項９】
前記第１部分は、前記空気袋を取り付けるための係合穴と、前記プレート部材を前記サイドフレームに固定するためのフレーム固定部とを有し、
前記係合穴は、前記サイドフレームの長手方向に間隔をあけて設けられた第１係合穴と第２係合穴とを有し、
前記フレーム固定部は、前記第１係合穴と前記第２係合穴の間に設けられていることを特徴とする請求項１に記載の乗物用シート。
【手続補正２】
【補正対象書類名】明細書
【補正対象項目名】０００６
【補正方法】変更
【補正の内容】
【０００６】
前記した目的を達成するため、乗物用シートは、着座部およびシートバックを有するシート部と、前記シート部内に設けられ、膨張または収縮することで乗員のサポート位置を変更する空気袋と、を備えた乗物用シートであって、前記シート部は、左右のフレームを構成する長尺状の左右のサイドフレームと、前記空気袋と前記サイドフレームの間に配置されたプレート部材と、を備え、前記プレート部材は、第１支持面を有する第１部分と、前記第１支持面から延びる第２支持面であって、前記第１支持面に対して傾斜した第２支持面を有する第２部分とを有し、前記空気袋が膨張した場合に前記第１支持面と前記第２支持面とで前記空気袋を支持することを特徴とする。
前記した乗物用シートにおいて、前記第２部分は、前記プレート部材を前記サイドフレームに固定するための爪部を有する構成とすることができる。
前記した乗物用シートにおいて、前記第２部分は、前記爪部と対向する位置に形成された貫通穴を有する構成とすることができる。
前記した乗物用シートにおいて、前記爪部は、前記サイドフレームに固定されたロッド部材に引っ掛かる第１爪部と第２爪部とを有し、前記第１爪部と前記第２爪部は、前記ロッド部材に引っ掛かる方向が異なる構成とすることができる。
前記した乗物用シートにおいて、前記第１部分は、前記空気袋を取り付けるための係合穴を有する構成とすることができる。
前記した乗物用シートにおいて、前記第１爪部と前記第２爪部は、前記サイドフレームの長手方向に間隔をあけて設けられ、前記係合穴は、前記長手方向に間隔をあけて設けられた第１係合穴と第２係合穴とを有し、前記第１係合穴と前記第２係合穴との間の距離は、前記第１爪部と前記第２爪部との間の距離よりも長い構成とすることができる。
前記した乗物用シートにおいて、前記爪部は、左右方向において、前記係合穴よりも外側に位置する構成とすることができる。
前記した乗物用シートにおいて、前記第２部分は、前記サイドフレームの長手方向における大きさが、前記第１部分よりも小さい部分を有する構成とすることができる。
前記した乗物用シートにおいて、前記第１部分は、前記空気袋を取り付けるための係合穴と、前記プレート部材を前記サイドフレームに固定するためのフレーム固定部とを有し、前記係合穴は、前記サイドフレームの長手方向に間隔をあけて設けられた第１係合穴と第２係合穴とを有し、前記フレーム固定部は、前記第１係合穴と前記第２係合穴の間に設けられている構成とすることができる。
また、乗物用シートは、着座部およびシートバックを有するシート部と、前記シート部内に設けられ、膨張または収縮することで乗員のサポート位置を変更する空気袋と、を備えた乗物用シートであって、前記シート部は、左右のフレームを構成する長尺状の左右のサイドフレームを備え、前記空気袋は、プレート部材を介して前記サイドフレームに固定され、前記サイドフレームの長手方向に沿った端部に凹部が形成された第１空気袋を含み、前記第１空気袋は、前記プレート部材に固定される取付部を有し、前記取付部は、前記長手方向に離間して形成された第１取付部と第２取付部を有し、前記乗物用シートは、前記第１空気袋に連結され、前記第１空気袋へガスを供給するためのホースをさらに備え、前記凹部は、前記長手方向において前記第１空気袋と前記ホースとの連結部分と異なる位置に設けられており、前記第１空気袋と前記ホースとの連結部分は、前記長手方向において前記第１取付部と前記第２取付部の間に位置することを特徴とする。
前記した乗物用シートにおいて、前記第１空気袋は、前記取付部がクリップによって固定されている構成とすることができる。
前記した乗物用シートにおいて、前記凹部は、前記長手方向において前記第１取付部と前記第２取付部の間に設けられている構成とすることができる。
前記した乗物用シートにおいて、前記第１取付部と前記第２取付部は、前記第１空気袋の前記凹部が形成された側に形成されている構成とすることができる。
前記した乗物用シートにおいて、前記凹部は、前記取付部よりも前に設けられている構成とすることができる。
前記した乗物用シートにおいて、前記取付部は、前記第１空気袋の下端に形成されている取付部を含む構成とすることができる。
前記した乗物用シートは、前記左右のサイドフレームの間に配置された受圧部材を備え、前記凹部は、前記長手方向において前記受圧部材と重なる位置に設けられている構成とすることができる。
前記した乗物用シートにおいて、前記空気袋は、前記受圧部材に取り付けられた第２空気袋を含む構成とすることができる。
前記した乗物用シートにおいて、前記第１空気袋は、左右方向から見て、前記サイドフレームと重なるように配置されている構成とすることができる。
また、乗物用シートは、着座部およびシートバックを有するシート部と、前記シート部内に設けられた乗員の腰部のサポート位置を調整可能なサポート装置とを備えた乗物用シートであって、前記着座部の左右のフレームを構成する左右の着座部サイドフレームと、左右方向に延びて前記左右の着座部サイドフレームを連結する連結部材と、前記サポート装置を構成し、膨張または収縮することで前記サポート位置を変更する空気袋と、前記空気袋にガスを供給するポンプと、前記ポンプを前記連結部材に取り付けるための左右方向に延びるブラケットと、を備え、前記ブラケットは、下から上に向けて凹む形状をなす凹部を有し、前記ポンプは、中心軸線が前記ブラケットの凹部の下端よりも上に入り込んだ状態で前記ブラケットに取り付けられ、前記連結部材は、下から上に向けて凹む形状をなす凹部を有し、前記ブラケットは、前記連結部材の凹部に入り込んだ状態で前記連結部材に取り付けられていることを特徴とする。